(57)【要約】【課題】  利用者の利便性を向上させることが可能な補助錠装置の一例を開示する。【解決手段】  ロックカバー５には、永久磁石にて構成されたマグネットシート７が設けられている。このため、利用者は、ロックカバー５の未使用時には、当該ロックカバー５を金属製のドアＤ等に仮置きすることができる。このとき、仮置きされたロックカバー５は、磁力により、仮置きされた位置に保持される。これにより、利用者は、未使用時にロックカバー５を容易に仮置きすることができるとともに、仮置きされたロックカバー５が紛失等してしまうことが抑制され得る。したがって、利用者の利便性を向上させることが可能となり得る。【選択図】  図１０
2020186610.tif 000002
【特許請求の範囲】
【請求項１】
扉枠に対して室外側に変位するドアを有する外開き扉に適用される補助錠装置において、
前記扉枠に装着される金属板製の取付金具であって、当該扉枠のうち室内側に位置する部位を挟み込むための略コの字状の挟込部、及び当該挟込部から室外側に延びる帯板状の金具本体を有し、かつ、当該金具本体の先端側に錠前の掛け金が挿入可能な掛金穴が設けられた取付金具と、
前記金具本体の先端側が貫通挿入される差込穴が設けられたロックカバーであって、当該差込穴に前記金具本体が挿入された使用時において、前記扉枠及び前記ドアに室外側から直接的又は間接的に接触可能なロックカバーと、
前記ロックカバーに設けられ、前記ロックカバーの未使用時に当該ロックカバーを仮置きするための仮置き保持部であって、当該仮置きされた位置を保持可能な仮置き保持部と
を備える補助錠装置。
【請求項２】
扉枠に対して室外側に変位するドアを有する内開き扉に適用される補助錠装置において、
前記扉枠に装着される金属板製の取付金具であって、当該扉枠のうち室外側に位置する部位を挟み込むための略コの字状の挟込部、及び当該挟込部から室内側に延びる帯板状の金具本体を有し、かつ、当該金具本体の先端側に錠前の掛け金が挿入可能な掛金穴が設けられた取付金具と、
前記金具本体の先端側が貫通挿入される差込穴が設けられたロックカバーであって、当該差込穴に前記金具本体が挿入された使用時において、前記扉枠及び前記ドアに室内側から直接的又は間接的に接触可能なロックカバーと、
前記ロックカバーに設けられ、前記ロックカバーの未使用時に当該ロックカバーを仮置きするための仮置き保持部であって、当該仮置きされた位置を保持可能な仮置き保持部と
を備える補助錠装置。
【請求項３】
前記仮置き保持部は、永久磁石にて構成されている請求項２に記載の補助錠装置。
【請求項４】
前記ロックカバーは、前記使用時において前記金具本体の先端側を覆う意匠カバー部、及び前記使用時において前記扉枠及び前記ドアに接触可能なカバー本体を有しており、
さらに、前記意匠カバー部及びカバー本体は樹脂製の一体品である請求項１ないし３のいずれか１項に記載の補助錠装置。
【発明の詳細な説明】
【技術分野】
【０００１】
本開示は、補助錠装置に関する。
【背景技術】
【０００２】
例えば、特許文献１に記載の補助錠装置は、取付金具及び扉閉止片等を有して構成されている。取付金具は、扉枠に装着される金属板製の部材である。扉閉止片は、扉枠及びドアに室外側から接触可能な金属板である。
【先行技術文献】
【特許文献】
【０００３】
【特許文献１】特開２０１６−７５１３４号公報
【発明の概要】
【発明が解決しようとする課題】
【０００４】
本開示は、利用者の利便性を向上させることが可能な補助錠装置の一例を開示する。
【課題を解決するための手段】
【０００５】
扉枠（Ｆ）に対して室外側に変位するドア（Ｄ）を有する外開き扉に適用される補助錠装置は、例えば、以下の構成要件のうち少なくとも１つを備えることが望ましい。
すなわち、当該構成要件は、扉枠（Ｆ）に装着される金属板製の取付金具（３）であって、当該扉枠（Ｆ）のうち室内側に位置する部位を挟み込むための略コの字状の挟込部（３１）、及び当該挟込部（３１）から室外側に延びる帯板状の金具本体（３２）を有し、かつ、当該金具本体（３２）の先端側に錠前の掛け金が挿入可能な掛金穴（３２Ａ）が設けられた取付金具（３）と、金具本体（３２）の先端側が貫通挿入される差込穴（５Ａ）が設けられたロックカバー（５）であって、当該差込穴（５Ａ）に金具本体（３２）が挿入された使用時において、扉枠（Ｆ）及びドア（Ｄ）に室外側から直接的又は間接的に接触可能なロックカバー（５）と、ロックカバー（５）に設けられ、ロックカバー（５）の未使用時に当該ロックカバー（５）を仮置きするための仮置き保持部（７）であって、当該仮置きされた位置を保持可能な仮置き保持部（７）とである。
【０００６】
これにより、利用者は、未使用時にロックカバー（５）を容易に仮置きすることができるとともに、仮置きされたロックカバー（５）が紛失等してしまうことが抑制され得る。したがって、利用者の利便性を向上させることが可能となり得る。
【０００７】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【０００８】
【図１】第１実施形態に係る補助錠装置の正面図である。
【図２】図１の右側側面図である。
【図３】図１の左側側面図である。
【図４】図１の上面図である。
【図５】図１の下面図である。
【図６】図１の裏面図である。
【図７】第１実施形態に係る補助錠装置の分解図である。
【図８】第１実施形態に係る補助錠装置の正面図である。
【図９】第１実施形態に係るロックカバーを示す図である。
【図１０】第１実施形態に係るロックカバーの分解図である。
【図１１】第１実施形態に係る補助錠装置の使用方法を示す図である。
【図１２】第２施形態に係る補助錠装置の正面図である。
【発明を実施するための形態】
【０００９】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１０】
なお、各図に付された方向を示す矢印及び斜線等は、各図相互の関係及び各部材又は部位の形状を理解し易くするために記載されたものである。したがって、本開示に示された発明は、各図に付された方向に限定されるものではない。
【００１１】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された補助錠装置は、少なくとも符号が付されて説明された部材又は部位等の構成要素を備える。
【００１２】
（第１実施形態）
＜１．補助錠装置の概要＞
本実施形態は、建物内に設置された室内ドアに本開示に係る補助錠装置の一例が適用されたものである。図１に示されるように、本実施形態に係る補助錠装置１は、扉枠Ｆに対して室外側に変位するドアＤを有する外開き扉に適用される。
【００１３】
ドアＤは、図１の紙面右側に蝶番（図示せず。）が設けられた「室外側に開くドア」である。扉枠Ｆは、ドアＤの外縁を囲むフレームである。当該扉枠Ｆは、建物に対して固定され、当該建物の一部を構成する。
【００１４】
そして、補助錠装置１は、南京錠等の錠前ＰＬと協働してドアＤが開くことを規制する。補助錠装置１の使用時においては、錠前ＰＬは、廊下等の室外側に位置する。つまり、当該補助錠装置１の利用者は、室外側からドアＤに施錠することができる。
【００１５】
＜２．補助錠装置の構成＞
補助錠装置１は、図７に示されように、取付金具３及びロックカバー５等を少なくとも備える。
【００１６】
＜取付金具＞
取付金具３は、図１に示されるように、扉枠Ｆに装着される金属板製の金具である。当該取付金具３は、図７に示されるように、挟込部３１及び金具本体３２等を少なくとも有する。
【００１７】
挟込部３１は、扉枠Ｆのうち室内側に位置する部位を挟み込むための部位であって、略コの字状に構成された部位である（図１参照）。挟込部３１には、当該挟込部３１を扉枠Ｆに固定するためのネジ式の固定具３１Ａが設けられている。
【００１８】
金具本体３２は、挟込部３１から室外側に延びる帯板状の部位である。当該金具本体３２の先端側には、掛金穴３２Ａが設けられている。掛金穴３２Ａは、錠前ＰＬの掛け金ＰＬ１（図１参照）が挿入可能な貫通穴である。
【００１９】
挟込部３１には、２つのフランジ部３１Ｂが設けられている。当該２つのフランジ部３１Ｂは、壁状の突出部であって、挟込部３１の曲げ剛性（断面二次モーメント）を増大させるための部位である。なお、取付金具３、つまり挟込部３１（２つのフランジ部３１Ｂを含む。）及び金具本体３２は、１枚の金属帯板が折り曲げられて構成された一体品である。
【００２０】
＜ロックカバー＞
ロックカバー５は、図８に示されるように、意匠カバー部５１及びカバー本体５２等を少なくとも有する。意匠カバー部５１は、使用時（図１に示す状態）において金具本体３２の先端側を覆う部分である。
【００２１】
カバー本体５２は、使用時において扉枠Ｆ及びドアＤに接触可能な部位である（図１参照）。なお、本実施形態では、意匠カバー部５１及びカバー本体５２は樹脂製の一体品である。
【００２２】
カバー本体５２には差込穴５Ａ（図９参照）が設けられている。差込穴５Ａは、金具本体３２の先端側、つまり掛金穴３２Ａ側が貫通挿入される貫通穴である。なお、差込穴５Ａに金具本体３２が挿入された状態が上記「使用時」に該当する。
【００２３】
そして、金具本体３２が差込穴５Ａを貫通し、かつ、掛金穴３２Ａに掛け金ＰＬ１が挿入された状態においては、カバー本体５２は、扉枠Ｆ及びドアＤに直接的に接触可能な状態となる（図１参照）。
【００２４】
なお、本実施形態に係るカバー本体５２（ロックカバー５）には、図１０に示されるように、カバー本体５２を補強する金属製の補強部材５３が装着されている。当該補強部材５３は、１つ又は複数のネジ（本実施形態では、タッピンネジ）５３Ａによりカバー本体５２に固定されている。
【００２５】
カバー本体５２には、永久磁石にて構成されたマグネットシート７が設けられている。マグネットシート７は、ロックカバー５の未使用時に当該ロックカバー５を仮置きするための仮置き保持部の一例であって、仮置きされたロックカバー５を仮置きされた位置に保持可能である。
【００２６】
つまり、利用者は、ロックカバー５の未使用時には、当該ロックカバー５を金属製のドアＤ等に仮置きすることができる。このとき、仮置きされたロックカバー５は、磁力により、仮置きされた位置に保持される。
【００２７】
本実施形態に係るマグネットシート７は、使用時にドアＤ及び扉枠Ｆに面する部位（本実施形態では、カバー本体５２の補強部材５３）に両面テープ（図示せず。）にて接着されている。なお、「未使用時」とは、ロックカバー５が金具本体３２に装着されていない状態である。
【００２８】
＜３．補助錠装置の使用方法＞
補助錠装置１を利用する者（以下、利用者という。）は、先ず、取付金具３の挟込部３１を扉枠Ｆのうち室内側に位置する部位に固定する（図１１参照）。次に、利用者は、カバー本体５２の先端が差込穴５Ａに嵌り込むように、室外からロックカバー５を取付金具３に装着する（図１参照）。
【００２９】
最後に、利用者は、錠前ＰＬの掛け金ＰＬ１を掛金穴３２Ａに挿入した後、当該錠前ＰＬを施錠する。これにより、ロックカバー５が取付金具３から離脱不可な状態（外れない状態）となる。したがって、ドアＤは、取付金具３及びロックカバー５、つまり補助錠装置１を介して扉枠Ｆに係止された状態となるので、ドアＤが開くことが規制される。
【００３０】
＜４．本実施形態に係る補助錠装置の特徴＞
利用者は、ロックカバー５の未使用時には、当該ロックカバー５を金属製のドアＤ等に仮置きすることができる。このとき、仮置きされたロックカバー５は、磁力により、仮置きされた位置に保持される。
【００３１】
これにより、利用者は、未使用時にロックカバー５を容易に仮置きすることができるとともに、仮置きされたロックカバー５が紛失等してしまうことが抑制され得る。したがって、利用者の利便性を向上させることが可能となり得る。
【００３２】
（第２実施形態）
上述の実施形態に係る補助錠装置１は、外開き扉に適用される補助錠装置であった。これに対して、本実施形態に係る補助錠装置１は、図１２に示されるように、扉枠Ｆに対して室内側に変位するドアＤを有する内開き扉に適用したものである。
【００３３】
つまり、外開き扉用の補助錠装置１は、内開き扉にも適用可能である。上述の実施形態と同一の構成要件等は、上述の実施形態と同一の符号が付されている。このため、本実施形態では、重複する説明は省略されている。
【００３４】
（その他の実施形態）
上述の実施形態では、マグネットシート７により仮置き保持部が構成されていた。しかし、本開示はこれに限定されるものではない。すなわち、当該開示は、例えば、マジックテープ（登録商標）やベルクロ（登録商標）等の面ファスナーにて仮置き保持部が構成された構成、又は永久磁石がロックカバー５に埋設された構成であってもよい。
【００３５】
上述の実施形態では、ロックカバー５が扉枠Ｆ及びドアＤに直接的に接触可能な状態となる構成であった。しかし、本開示はこれに限定されるものではない。すなわち、当該開示は、例えば、ロックカバー５と扉枠Ｆ及びドアＤとの隙間が大きい場合には、ロックカバー５と扉枠Ｆ及びドアＤとの間にスペーサが配置された構成であってもよい。
【００３６】
つまり、スペーサが配置された構成では、ロックカバー５が扉枠Ｆ及びドアＤに間接的に接触可能な状態となる。当該スペーサは両面テープ等にてカバー本体５２に装着されることが望ましい。なお、スペーサを用いるか否か、及びスペーサの装着は、利用者が行う。
【００３７】
上述の実施形態では、利用者が錠前ＰＬを準備する必要があった。しかし、本開示はこれに限定されるものではない。すなわち、当該開示は、例えば、補助錠装置１に錠前ＰＬが付属する構成であってよい。
【００３８】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００３９】
１… 補助錠装置  ３… 取付金具  ５… ロックカバー
５Ａ… 差込穴  ７… マグネットシート  ３１… 挟込部
３２… 金具本体  ３２Ａ… 掛金穴
５１… 意匠カバー部  ５２… カバー本体  ５３… 補強部材
【図１】
2020186610.tif 000003
【図２】
2020186610.tif 000004
【図３】
2020186610.tif 000005
【図４】
2020186610.tif 000006
【図５】
2020186610.tif 000007
【図６】
2020186610.tif 000008
【図７】
2020186610.tif 000009
【図８】
2020186610.tif 000010
【図９】
2020186610.tif 000011
【図１０】
2020186610.tif 000012
【図１１】
2020186610.tif 000013
【図１２】
2020186610.tif 000014